(57)【要約】【課題】集合住宅や一般住宅、また商店街や公園、イベント施設及び会場等において、ゴミ集積所を専用に設けることができないために、路上や空き地、緑地帯または広場等の一角を一時的なゴミの集積場所として定めることは少なくない。その様な場所では、無防備に置かれた生ゴミ等をカラスや犬・猫などによって荒らされ、ゴミの散乱の被害が後を絶たない。そこで、簡易に設置することができ、生ゴミ等を鳥獣や風による被害から守り、使用後は扇を畳むように折り畳んで置くことが可能な鳥獣風被害対策付ゴミ袋収納ネットゴミステーションユニットを提供する。【解決手段】扇状に開閉自在となるよう先端部で一体型に連結さた複数（４本か６本が理想的）のコの字型の支柱からなり、連結部には筋交いが設けられ本体を９０度開いた扇形に保つことができ、また該筋交いを折り畳むことで本体が扇を閉じる時のように折り畳むことができる鳥獣風被害対策付ゴミ袋収納ネットゴミステーションユニットであり、本体骨格部全体を完全に被覆するように開閉自在のゴミ袋投入口を設けた繊維網を被せる。【選択図】「図１」
2006021924.tif 000002
【特許請求の範囲】
【請求項１】
本体骨格部がコの字型に形成された複数の支柱からなり、その支柱の両端はそれぞれ扇状に開閉自在となるよう先端部で一体型に連結され、最前部の支柱が前方へ地面に接地するまで倒されたときに、最後部の支柱が該支柱と９０度の角度で直立し、残りの支柱は該最前部と該最後部の支柱間でほぼ均等な角度にて固定され全体で扇型の矩形空間を構成し、該最前部と該最後部の支柱間に該２本の支柱を９０度の角度で維持し矩形空間を保つことができる筋交いを設け、該本体を完全に被覆するように開閉自在のゴミ袋投入口を有する繊維網を被せ、該繊維網を前記支柱に適宜箇所結束し一体としたことを特徴とする鳥獣風被害対策付ゴミ袋収納ネットゴミステーションユニット。
【請求項２】
請求項１記載のゴミ袋収納装置において、該筋交いがその中央部より支柱垂直上方向に折り畳み自在に形成され、該筋交いを支柱垂直上方向に折り畳むことにより全ての支柱がその先端連結部を中心に重なるように畳むことが可能である請求項１記載の鳥獣風被害対策付ゴミ袋収納ネットゴミステーションユニット。
【発明の詳細な説明】
【発明の詳細な説明】
【技術分野】
【０００１】  この発明は、集合住宅や一般住宅、また商店街や公園、イベント施設及び会場等、ゴミ集積所を専用に設けることができず、路上（歩道、一般道の脇、施設内通路）、空き地、緑地帯、広場等ゴミの収集の為に一時的に集積場所と決められた場所に、無防備に置かれた生ゴミ等をカラスや犬・猫などによるゴミ散乱の被害から守ることを目的とした鳥獣風被害対策付ゴミ袋収納ネットゴミステーションユニットに関する物である。
【背景技術】
【０００２】  従来より、集合住宅や一般住宅地、商店街等で暫定のゴミ集積指定場所でのカラス、野良猫等の被害から守るとされるネットは市販されていて、その大半が平面的な風呂敷タイプのネットで四方に重りの入っているもの、もしくは入っていないものである。重りは集められたゴミ（袋）に被せられたネットが風や、鳥獣によって容易に動かされないために設けられているものだが、重りが重すぎてネットの操作がしづらかったり、立体的なゴミ袋にかけるために隙間が生じたりして目的を満たしていないのが現状である。【０００３】また、公園やイベント施設及び会場においては、行楽シーズンやイベント期間に対して、それ以外の期間とではゴミの量が著しく違うため、大量に出される時期に合わせた容量を満たすゴミ箱を常設されることが少なく、指定された場所でもゴミが収集されるまでは放置されていることが多い。
【発明の開示】
【発明が解決しようとする課題】
【０００４】  この様に、ブロックやモルタルでゴミ集積所を施工できない場所や、プラスチックや金属製の固定型ゴミ集積箱を常時設置したりすることのできないこれらの路上（歩道、一般道の脇、施設内通路）、空き地、緑地帯の簡易的なゴミ集積場所では、出されたゴミ袋の上に上記したようなネットを被せ、次にゴミを出しに来た人がそのネットを持ち上げその下にゴミ袋を置きネットをかけ直す。その繰り返しであるため、ゴミ袋の数が増えるほどゴミ袋がはみ出ないよう、また隙間ができないようにゴミ袋の上にネットを被せる動作や、山積したゴミ袋の上にネットを退かしてゴミ袋を更に重ねるといった作業が大変にならざるを得ない。【０００５】傘を持つ雨の日などはもとより外出時にゴミ袋を出そうとする場合、大抵は手荷物があるため片手での作業が好ましいが、従来品ではそれが難しい作業となるために、時には被せてあるネットの上にゴミ袋を置いていくという行為が見受けられ、本来の目的すら果たせていない場合もある。
また、常時に多数の、または大型のゴミ箱を設置できない広場や施設、イベント会場等では、行楽シーズンやイベント時などには飲食後のゴミを中心として大量にゴミが出されることがあるが、ゴミを収集するに当たっても定期的な収集ではないために、数日間置かれたままになってしまうこともある。飲食物のゴミということで早朝よりカラスが飛来し、まとめて捨てたはずのゴミが散乱し、町の美観を損ねることもしばしばである。本発明は、これらの課題を解決するためになされたものである。
【課題を解決するための手段】
【０００６】  本発明は、上記課題を解決するための手段として以下の構成を成している。本体骨格部は、コの字型に形成された複数（４本か６本が理想的）の支柱からなり、その支柱の両端はそれぞれ扇状に開閉自在となるよう先端部で一体型に連結され、最前部の支柱が前方へ地面に接地するまで倒されたときに、最後部の支柱が該支柱と９０度の角度で直立し、残りの支柱は該最前部と該最後部の支柱間でほぼ均等な角度にて固定され全体で扇型の矩形空間を構成する。【０００７】このとき、該最前部と該最後部の支柱間に設けられた筋交いが該２本の支柱を保持し矩形空間を保つことができる。該筋交いはその中央部より支柱垂直上方向に折り畳み自在に形成され、該筋交いを支柱垂直上方向に折り畳むことにより全ての支柱がその先端連結部を中心に重なるように畳むことが可能である。【０００８】前記、９０度扇型の矩形空間に構成された支柱全体を覆う様にネットを被せ、それぞれの支柱と被せたネットを適宜間隔で結び止める。被せたネットの上部に開閉自在のゴミ袋投入口を設ける。筋交いを折り畳むことで支柱は連結部を中心に可動自在であり、ゴミ袋回収時は、最前部の接地している支柱を持ち上げることで開放し回収作業を行うことができる。以上の構成よりなる鳥獣風被害対策付ゴミ袋収納ネットゴミステーションユニットである。
【発明の効果】
【０００９】  本発明の効果として、商店街や一般住宅、また商店街や公園、イベント会場及び会場等ゴミ集積所を専用に設けることができず、路上（歩道、一般道の脇、施設内通路）、空き地、緑地帯、広場等ゴミの収集の為に一時的に集積場所と決められた場所において、立地条件に合わせた対応を可能にし、コンパクトに、また利用したい時にだけ設置できるばかりでなく、生ごみ等をカラスや犬・猫又は強風などによるゴミ散乱の被害から簡易な方法で守ることができる。【００１０】また、ゴミの収集は投入口からと設地している支柱（接地支柱が２本の場合はその一方だけでよい）を持ち上げて行うことができ、不用な時は折り畳んでおくことが可能である。従来の風呂敷型ネットのように実施形態が乱れることがないので街の美観も損ねることがない上、立ったまま投入でき、投入口も接地しないために、利用者が触れる部分に付着する汚れも減るのでより清潔である。更に、全国的規模で問題となっているゴミ集積所における鳥獣や風によるゴミ散乱被害の対策として、また一部自治体で行われているゴミの戸別収集に対しても新たな設備を再構築する必要がなく、迅速に対処できるという効果を得られる。
【発明を実施するための最良の形態】
【００１１】  図１〜図６は本発明の実施形態を示すものである。図１において、（１）がコの字型支柱、（２）が筋交い、（３）が鳥獣対策ネット、（４）がゴミ袋投入口、（５）が投入口カバーであり、（２）の筋交いを折り畳むことで９０度扇型の本体骨格部が可動自在となる鳥獣風被害対策付ゴミ袋収納ネットゴミステーションユニットを構成している。尚、この実施形態のゴミ袋収納ネットゴミステーションユニットは、実施されるゴミ袋集積所の設置場所の条件等でコの字型支柱（１）の寸法を対応させることにより実施するものであり、規程寸法をここで挙げるものではない。【００１２】また、本体骨格部を構成するコの字型支柱（１）の本数も接地条件等で柔軟に対応できるものだが、図１では４本のコの字型支柱（１）を用いたものが示されている。４本のコの字型支柱（１）の両端はそれぞれ扇状に開閉自在となるよう先端部で一体型に連結されている。【００１３】図２は４本のコの字型支柱（１）が扇状に開閉自在となる連結部の拡大図を示すものである。接地側のコの字型支柱（１）を（１−１）、また直立している支柱を（１−４）としたとき、支柱（１−１）の先端は支柱（１−２）側に９０度のアールを描き同形状である支柱（１−２）の同じく９０度のアールをもった先端の角部に可動自在にカシメられる。同じように支柱（１−２）は支柱（１−３）に、支柱（１−３）は支柱（１−４）にカシメられ、支柱４本をもって一体型をなし扇状に可動自在に連結されする。また、他の３本の支柱とは異なり支柱（１−４）の先端はアールを持たず垂直である。これは、コの字型支柱（１）の両端において左右対称をなすよう実施されるものである。【００１４】同じく図２において、筋交い（２）の機能を説明する。筋交い（２）は支柱（１−１）と支柱（１−４）が９０度を保つように支柱（１−１）と支柱（１−４）間に４５度の角度にて設けられる。筋交い（２）とそれぞれの支柱の接合部は可動自在なカシメ接合とされ、筋交い（２）中央部から折り畳めるよう２つの部材からなり、この２つの部材の接合部もまた可動自在なカシメにより接合され１本の筋交い（２）を形成している。【００１５】図３は筋交い（２）の形状を示す詳細図である。筋交い（２）は上部（２−１）及び下部（２−２）の２つの部材から構成され、それぞれが可動自在なカシメ（２−３）により接合され１体をなしている。筋交い（２）を構成する２つの部材は９０度に成型されたアングル（２−４）をなし、上部（２−１）と下部（２−２）が接合されるとき上部（２−１）と下部（２−２）に適宜間隔の重複部を設ける。本体が９０度の扇型の矩形空間を構成しているとき、いわゆる扇型の天（てん）方向から要（かなめ）方向へ作用する比重を上部（２−１）と下部（２−２）のアングル（２−４）重複部が受け、一本の筋交い（２）となり、支柱（１−１）と支柱（１−４）を９０度に保つことができる。【００１６】また、逆に支柱（１−１）と支柱（１−４）が９０度に保たれているとき、筋交い（２）のカシメ（２−３）部分を要（かなめ）方向から天（てん）方向へ折り畳むことで支柱（１−１）と支柱（１−４）の支えが解け本体が可動自在となる。図４は筋交い（２）のカシメ（２−３���部分を示す断面図である。【００１７】４本のコの字型支柱（１）により９０度の扇型の矩形体に形成された本体骨格部全体を覆うように鳥獣対策ネット（３）を被覆させる。被覆させたネットと本体骨格部であるそれぞれのコの字型支柱（１）を適宜間隔で結束し本体を一体化する。開閉自在であるゴミ袋投入口（４）を９０度の扇型の矩形体である本体の上部、概ね支柱（１−４）と支柱（１−３）の間に設ける。ゴミ袋投入口（４）を完全に被うように投入口カバー（５）を設ける。投入口カバー（５）の先端の長辺にアルミパイプ（６）等縫設することで投入口カバー（５）の開閉作業がより簡易に行える。【００１８】また、本体後部上面に適宜長さのベルト（７）を縫設することで、本体を折り畳んだ際４本のコの字型支柱（１）と鳥獣対策ネット（３）を纏めてコンパクトに収納することが可能である。図５は本発明をベルト（６）により収納したことを示す斜視図である。【００１９】収納されたゴミ袋を収集する際は、ゴミ袋投入口（４）からの収集も可能ではあるが、本体の筋交い（２）を折り曲げ全体を可動自在とすることで支柱（１−１）を持ち上げ解放し収集を行うことができる。尚、本体に設けられる筋交い（２）は本発明の全体の大きさにより片側のみの設置で良い場合と、本体の左右両端に設置する方がより大きな安定を得られる場合がある。また、鳥獣対策として、設置された本体の下部周辺に高さ３０ｃｍ程度のテント布（８）等堅強な素材を使用して帯状に布設すれば、カラスのクチバシや猫の爪の被害から鳥獣対策ネット（３）を守ることができる。
【実施例】
【００２０】  以上、本発明において４本のコの字型支柱（１）を有する本体骨格部にて構成される９０度扇型の鳥獣風被害対策付ゴミ袋収納ネットゴミステーションユニットについて説明してきたが、該ユニットの設置場所や用途範囲によって形状を変え、容積を増量する等の応用が可能である。図６にコの字型支柱（１）、（この場合コの字でなくアーチ型でも構成に変化は生じないが）の本数を６本にし、全体をドーム型にした本発明の応用例を示す。【００２１】６本のコの字型支柱（１）の両端はそれぞれ扇状に開閉自在となるよう先端部で一体型に連結されている。連結されたコの字型支柱（１）の最前部のものは前方へ、最後部のものは後方へそれぞれ地面に接地するまで倒され、残りの支柱は、支柱全体でドームを形成するようにほぼ均等な角度にて固定される。６本のコの字型支柱（１）により１８０度のドーム型に形成された本体骨格部全体を覆うように鳥獣対策ネット（３）を被覆させる。被覆させたネットと本体骨格部であるそれぞれのコの字型支柱（１）を適宜間隔で結束し本体を一体化する。開閉自在であるゴミ袋投入口（４）をドーム型の中央真上部分に設ける。【００２２】この場合、前記９０度に固定される扇状の矩形体の本発明とは異なり、筋交い（２）による固定具は構造上必要無い。ドーム型の鳥獣風被害対策付ゴミ袋収納ネットゴミステーションユニットはその支柱の大きさや本数を増やすことによりゴミ袋の集積能力を増大することが可能である。その場合、開閉自在であるゴミ袋投入口（４）を複数口に増設し対応することができる。また本体容積の増大に伴い本体ユニットの補強や転倒防止などの対策が伴わなくてはならない。ゴミ袋の収集は接地しているコの字型支柱（１）を持ち上げることで開放し収集を行うことができる。
【図面の簡単な説明】
【００２３】
【図１】本発明の斜視図である。
【図２】本発明の連結部を示す拡大図である。
【図３】本発明の筋交い（２）の形状を示す詳細図である。
【図４】本発明の筋交い（２）のカシメ（２−３）部分を示す断面図である。
【図５】本発明をベルト（６）により収納したことを示す斜視図である。
【図６】本発明をドーム型に応用した斜視図である。
【符号の説明】
【００２４】１      コの字型支柱
１−１  接地しているコの字型支柱
１−２  ２番目のコの字型支柱
１−３  ３番目のコの字型支柱
１−４  直立しているコの字型支柱
２      筋交い
２−１  筋交い上部
２−２  筋交い下部
２−３  筋交いカシメ部
２−４  筋交いアングル
３      鳥獣対策ネット
４      ゴミ袋投入口
５      投入口カバー
６      アルミパイプ
７      ベルト
８      テント布
【図１】
2006021924.tif 000003
【図２】
2006021924.tif 000004
【図３】
2006021924.tif 000005
【図４】
2006021924.tif 000006
【図５】
2006021924.tif 000007
【図６】
2006021924.tif 000008